(57)【要約】  【課題】工場出荷時にＥＴＣ車載機を搭載する場合もしない場合も、１部品を付け替えるだけで見栄えのするＥＴＣ車載機の格納構造又は小物入れとでき、それらの何れの場合にも利を付与でき、且つ、後者の場合であっても、販売店において簡単に後付け対応可能な見栄えのするＥＴＣカードリーダの格納構造を提供する。  【解決手段】ＥＴＣカードリーダの格納構造１は、共通部品としての略箱状を成すボックス３と、取付部材４又は箱状連結体５との何れかを備え、これらから択一的に、ボックス３に対して連結することができるようにした。  【選択図】図２
2008299399.tif 000002
【特許請求の範囲】
【請求項１】
車室内に配設されるボックス内にＥＴＣカードリーダを格納するための構造であって、
上記ボックスは前部と底部に開口部を有し、上記底部の開口部は、ＥＴＣカードリーダを取り付けるための取付部材又は上部が開口した有底の箱状連結体を択一的に取り付け可能に構成されたことを特徴とする、ＥＴＣカードリーダの格納構造。
【請求項２】
前記ボックスは、前記前部の開口部に開閉自在に取り付けられた蓋体を備えたことを特徴とする、請求項１に記載のＥＴＣカードリーダの格納構造。
【請求項３】
前記取付部材は、ＥＴＣカードリーダの前面部を装着するための開口を備えた前面板と、該前面板の上端に該前面板に対しほぼ垂直に配設され、上記ボックスの底部の開口部を閉塞する閉塞板とを備えたことを特徴とする、請求項１又は２に記載のＥＴＣカードリーダの格納構造。
【請求項４】
前記ボックスは、前記底部の開口部周辺に、前記取付部材又は前記箱状連結体を択一的に連結可能で、前記取付部材及び前記箱状連結体の双方に対して共通して使用し得る連結部が形成されていることを特徴とする、請求項１乃至３の何れかに記載のＥＴＣカードリーダの格納構造。
【請求項５】
前記取付部材は、前面板に形成されたＥＴＣカードリーダを装着するための装着部と、前記ボックスの連結部と連結するための連結部とを備えることを特徴とする、請求項１乃至４の何れかに記載のＥＴＣカードリーダの格納構造。
【請求項６】
前記箱状連結体は、前記ボックスの連結部と連結するための連結部を備えることを特徴とする、請求項１乃至５の何れかに記載のＥＴＣカードリーダの格納構造。
【請求項７】
前記ボックスは、車室内に予め設定されたボックス取付部に挿着されるものであり、前記ボックスの外周面の所定の部位には、上記ボックス取付部の所定部位に形成された係合部と連結するための係合部を備えることを特徴とする、請求項１乃至６の何れかに記載のＥＴＣカードリーダの格納構造。
【発明の詳細な説明】
【技術分野】
【０００１】
本発明は、有料道路の料金所において渋滞が発生するのを回避することを目的としたＥｌｅｃｔｒｏｎｉｃ  Ｔｏｌｌ  Ｃｏｌｌｅｃｔｉｏｎ（以下、ＥＴＣと称す）システムに対応するＥＴＣ用の車載機、即ちＥＴＣカードリーダを、自動車に搭載するための格納構造に関するものである。
【背景技術】
【０００２】
既に、ＥＴＣと呼ばれる有料道路利用料の自動収受システムは広く知られ、定点に固定設置されるＥＴＣ路上機との間で、残高情報及び課金情報等のデータの送受信を行なうためのＥＴＣ車載機も普及している。ＥＴＣ車載機は、アンテナ素子及びＲＦ基板からなるアンテナ部を有しており、運転視野を損なわずに、ＥＴＣ車載機とＥＴＣ路上機との間の通信が可能で且つ使い易い車輌位置に配設する必要がある。一方、ＥＴＣ車載機のカードリーダを車外から視認可能な位置に配置すると、ＥＴＣ用ＩＣカードが盗難されるおそれがあった。
【０００３】
このような事態を回避するために、販売店における後付けの場合は、ＥＴＣカードリーダ１２６をダッシュボードのように目立つ場所ではなく、図７に示すように、運転席と助手席との間に設けられているコンソールボックス１０６の脇に取り付けるようにしたり、或いは車外からの視認を防ぐため、図８に示すように、コンソールボックス１０６内に取り付けたりしている。
【０００４】
また、工場出荷時に予めＥＴＣ車載機を装備するオプション対応の場合は、図９及び図１１に示すＥＴＣカードリーダの格納構造２０１／３０１のように、ＥＴＣカードリーダ２２６／３２６は車室内前方に配設されるインストルメントパネル２０６／３０６のハンドル基端部脇に収容される。このような格納構造においては、図９に示すように前面のＩＣカード挿入口２２６ｓが目立たないようになってはいるものの車室内に露出しているタイプと、図１１に示すようにＩＣカード挿入口３２６ｓをカバー状の蓋体３２５で覆って隠すことができるようになっているタイプとがある。
【０００５】
前者のタイプのＥＴＣカードリーダの格納構造２０１では、図９及び図１０に示すように、前記形成位置において車室内側に向かって開口した開口部２０７があって、開口部２０７から略水平に車輌前方に向かって凹設した、ＥＴＣカードリーダ２２６を挿入し得る大きさの横穴状のＥＴＣカードリーダ取付部２０２が形成されている。
【０００６】
後者のタイプのＥＴＣカードリーダの格納構造３０１では、図１１及び図１２に示すように、前記形成位置において車室内側に向かって開口したやや大きめの開口部３０７があって、開口部３０７から略水平に車輌前方に向かって凹設した横穴状の空間が形成されている。この横穴状の空間が、上下二段に仕切られて、上段にはＥＴＣカードリーダ３２６を丁度挿入し得る大きさのスペースのＥＴＣカードリーダ取付部３０２が形成され、下段には小物入れ３２８が介挿されるスペースが形成されている。開口部３０７には、内側に小物入れ３２８が形成された蓋体３２５が回動可能に取り付けられている。そのため、蓋体３２５の閉蓋状態では開口部３０７全体が覆われてＥＴＣカードリーダ３２６は外部から視認できない状態となる一方、蓋体３２５を手前側下向きに回動させることで外部から視認することができる。
【発明の開示】
【発明が解決しようとする課題】
【０００７】
しかしながら、従来の工場オプション対応のＥＴＣカードリーダの格納構造において、自動車購入時にＥＴＣ車載機を必要としない場合には、ＥＴＣカードリーダの専用取付部が空きスペースとなってしまうという問題がある。特に、ＥＴＣカードリーダの取付状態において、その前面のＩＣカード挿入口が車室内に露出しているタイプの格納構造にあっては、ＥＴＣ車載機を取り付けない場合には、取付部の開口部を、図１０に示すように、別体のカバー２２７を装着して閉塞してデッドスペースとしてしまうという方法が採られている。
他方、販売店における後付けとしては、如何にも後付けという観を呈し見栄えもせず、設置場所によっては、邪魔になる場合があった。
【０００８】
本発明は、上記問題点に鑑みて創作されたものであり、工場出荷時にＥＴＣ車載機を搭載する場合であっても或いは工場出荷時にはＥＴＣ車載機を搭載しない場合であっても、１部品を付け替えるだけで見栄えのするＥＴＣカードリーダの格納構造又は見栄えのする小物入れとして提供可能で、ＥＴＣ車載機の有無によらず何れの場合にも利を付与でき、且つ、工場出荷時にはＥＴＣ車載機を搭載していない場合であっても、販売店において簡単に後付け対応可能な、工場出荷時と同等の見栄えのするＥＴＣカードリーダの格納構造を提供することを目的とする。
【課題を解決するための手段】
【０００９】
上記目的を達成するため、本発明は、車室内に配設されるボックス内にＥＴＣカードリーダを格納するための構造であって、このボックスは側壁と天板とを備えると共に前部と底部には開口を有し、底部の開口部は、ＥＴＣカードリーダをその前面部のみを露出して取り付けるための取付部材又は上部が開口した有底の箱状連結体を択一的に取り付け可能に構成されることを特徴としている。
【００１０】
ボックスは、前部の開口に開閉自在に取り付けられた蓋体を備えたことを特徴としている。また、ボックスは、その底部の開口部周辺に、取付部材又は箱状連結体を択一的に連結可能で、取付部材及び箱状連結体の双方に対して共通して使用し得る連結部が形成されていることを特徴としている。
【００１１】
取付部材は、ＥＴＣカードリーダの前面部を装着するための開口を備えた前面板と、前面板の上端に前面板に対しほぼ垂直に配設され、ボックスの底部の開口を閉塞する閉塞板とを備えたことを特徴としている。また、取付部材は、取付部材の前面板に形成されたＥＴＣカードリーダを装着するための装着部と、ボックスの開口部周辺に形成された連結部と互いに係合して連結するための連結部とを備えることを特徴としている。
【００１２】
箱状連結体は、ボックスの連結部と互いに係合して連結するための連結部を備えることを特徴としている。
【００１３】
また、ボックスは、車室内に予め設定されたボックス取付部に挿着されるものであり、ボックスの外周面の所定の部位には、ボックス取付部の所定部位に形成された係合部に係合して連結するための係合部を備えることを特徴としている。
【発明の効果】
【００１４】
本発明のＥＴＣカードリーダの格納構造は、車室内に予め設定されたボックス取付部に対して簡便に取り付け可能であって、且つ、１部品で構成されたＥＴＣカードリーダ取付用の取付部材及び１部品で構成された上部が開口した有底の箱状連結体を、択一的に連結可能とした、ＥＴＣカードリーダの格納構造の主要部を成すボックスを備えている。これによって、工場出荷時において、ＥＴＣ車載機を搭載する場合には、ボックスに対してＥＴＣ取付用の取付部材を連結することで、簡便にＥＴＣカードリーダを格納することができる。他方、ＥＴＣ車載機を搭載しない場合には、ボックスに対して箱状連結体を連結することで、車室内に設定されたボックス取付部のスペースを比較的容量の大きい小物入れにすることができる。従って、ＥＴＣ車載機を搭載する場合にもしない場合にも、１部品を付け替えるだけで見栄えのするＥＴＣカードリーダの格納構造又は小物入れを提供することが可能である。
【００１５】
また、工場出荷時においては、ＥＴＣ車載機を搭載していない場合であっても、ボックスをボックス取付部から容易に取り外して、既にボックスに連結されている箱状連結体を取付部材に付け替えて、ＥＴＣカードリーダを装着するだけでよく、販売店においても簡単に後付け対応することが可能である。
【００１６】
前部の開口に開閉自在に取り付けられた蓋体を備えたＥＴＣカードリーダの格納構造を用いて車輌にＥＴＣ車載機を搭載した場合には、普段は、本発明のボックス前面の開口部に取り付けられた蓋体を閉めることで、ＥＴＣカードリーダやＥＴＣ用のＩＣカード挿入口に挿入されたＩＣカードの、外部からの視認を防止することができ、盗難防止効果を向上させることができる。
【発明を実施するための最良の形態】
【００１７】
以下、本発明の好ましい実施の形態を、添付図面を参照しながら詳細に説明する。図１乃至図６に示すように、本実施態様のＥＴＣカードリーダの格納構造１は、予め車輌室内に設定されたボックス取付部２に挿着して使用されるものであり、共通部品としてのボックス３と、ボックス３に対して択一的に連結される取付部材４又は箱状連結体５とから成る。図１乃至図３は取付部材４を選択した際の構成を示すもので、図４乃至図６は箱状連結体５を選択した際の構成を示すものである。
【００１８】
ボックス取付部２は、図１に示すように、ボックス３を装着するための車室内前方に配設されるインストルメントパネル６（若しくはセンターコンソール等）の中央下方の略鉛直部に予め設定される。ボックス取付部２は、インストルメントパネル６の前記部位に形成される車室内に向かって開口した略長方形状の開口部７を有し、開口部７から車輌前方に向かってほぼ水平に所定の奥行きで凹設された横穴状のスペース８を備える。
【００１９】
ボックス３をボックス取付部２に対して挿着した際に、安定的な挿着状態を保持し得るように、ボックス取付部２の開口部７の四隅には、それぞれ係合用の第一乃至第四の係合孔９ａ，９ｂ，９ｃ，９ｄが、車輌前方に向かって一つずつ穿孔され、ボックス３側の所定の部位に形成される第一乃至第四の係合部１０ａ，１０ｂ，１０ｃ，１０ｄを係入し得るように構成される。さらに、ボックス３を安定的に保持するため、ボックス取付部２の奧に形成されるほぼ鉛直の端面である奧壁１１の所定部位には、互いに所定の間隔を存し係合用の第五の係合孔９ｅ及び第六の係合孔９ｆが穿孔され、ボックス３側の所定の部位に形成される第五の係合部１０ｅ及び第六の係合部１０ｆを係入し得る。
【００２０】
本実施態様のボックス３は、図２（ａ）及び図５（ａ）に背面斜視図として示すように、四面の側壁と、天面を覆う天板１２とを備えている。四面の側壁は、前面板１３と、左右の側面板１４ａ，１４ｂと、背面板１５との合計四枚のほぼ鉛直に立設される板状の部材から成る。左右の側面板１４ａ，１４ｂと、背面板１５との結合箇所の高さは互いに等しく、それぞれ下端同士及び上端同士が同じ高さ位置になるよう形成される。左右の側面板１４ａ，１４ｂは、その上縁の高さが前面側から背面側にかけて直線的に若干低くなるよう傾斜している。
【００２１】
ボックス３の前面板１３の外形高さは、左右の側面板１４ａ，１４ｂの前面側の高さよりも若干高く設定される。前面板１３の外形幅は、天板１２の前面側の横幅よりも若干広く設定される。このように若干大きめの外形に形成される略長方形の板面外形を有するボックス３の前面板１３の板面上におけるほぼ中央には、その周囲を枠状に残して貫穿されて略長方形状に開口した開口部１６が形成される。
【００２２】
この開口部１６の上端の横幅は、天板１２の前面側の横幅と同等であり、天板１２が開口部１６の上端の周縁に沿って形成される。開口部１６の高さは、左右の側面板１４ａ，１４ｂの高さよりも若干大きめにとられ、左右の側面板１４ａ，１４ｂは、それぞれ開口部１６の左右の周縁の上端から周縁に沿って取り付けられる。
【００２３】
即ち、全体としてボックス３は、前面板１３の開口部１６の左右の周縁の下方部位から上端にかけて及び開口部１６の上縁部が背面方向に所定の奥行きで延出して左右の側面板１４ａ，１４ｂと天板１２とを成し、その背面側の端部に背面板１５を形成し、底部と前面部には開口を有する箱状を構成している。
【００２４】
前面板１３の背面側の四隅には、それぞれ前面板１３の板面に対して垂直に凸設して成る第一乃至第四の係合部１０ａ，１０ｂ，１０ｃ，１０ｄが一つずつ、合計四つ形成される。第一乃至第四の各係合部１０ａ，１０ｂ，１０ｃ，１０ｄは、車輌前方に向かって若干細身になった横断面角柱状を成し、それらの先端は丸く形成される。第一乃至第四の各係合部１０ａ，１０ｂ，１０ｃ，１０ｄの基端部には、それぞれ若干窪んだアンダーカット状の抜け止め１７ａ，１７ｂ，１７ｃ，１７ｄが形成される。第一乃至第四の各係合部１０ａ，１０ｂ，１０ｃ，１０ｄは、ボックス取付部２の第一乃至第四の係合孔９ａ，９ｂ，９ｃ，９ｄの各位置に対応して配設され、ボックス３をボックス取付部２に挿着する際は、第一乃至第四の各係合部１０ａ，１０ｂ，１０ｃ，１０ｄが対応するそれぞれの係合孔９ａ，９ｂ，９ｃ，９ｄに係入して安定的に挿着する。
【００２５】
ボックス３の背面板１５の所定の部位には、背面板１５の板面に対して垂直に凸設して成る第五の係合部１０ｅ及び第六の係合部１０ｆが、互いに所定の間隔を存して形成される。これらの第五の係合部１０ｅ及び第六の係合部１０ｆは、それぞれ車両前方に向かって若干細身になった横断面略十字形を成し、それらの先端は丸く形成されて成る。第五の係合部１０ｅと第六の係合部１０ｆは、ボックス取付部２の第五の係合孔９ｅ及び第六の係合孔９ｆの各位置に対応して配設され、ボックス３をボックス取付部２に挿着する際は、第五の係合部１０ｅ及び第六の係合部１０ｆが対応するそれぞれの係合孔９ｅ，９ｆに係入して安定的に挿着する。
【００２６】
ボックス３の底部の開口周辺の所定の各部位には、取付部材４又は箱状連結体５の何れかを択一的に連結するための、第一乃至第六の合計六つの連結部１８ａ，１８ｂ，１８ｃ，１８ｄ，１８ｅ，１８ｆが形成される。
【００２７】
第一及び第二の連結部１８ａ，１８ｂは互いに鏡映対称の形状をなし、それぞれボックス３の前面板１３の周縁部内側における左右下端位置に対面して配設される。この第一の連結部１８ａ及び第二の連結部１８ｂは、前面板１３に対して垂直に配設される小板状を成し、それぞれ内側にアンダーカット状の抜け止め１９ａ，１９ｂが形成される。これら第一の連結部１８ａ及び第二の連結部１８ｂは、取付部材４の前面板２０の左右の両脇付近に穿孔される第一の連結孔２１ａ及び第二の連結孔２１ｂにそれぞれ挿着されて連結されるものである。
【００２８】
第三の連結部１８ｃ及び第四の連結部１８ｄは互いに鏡映対称の形状を成しており、それぞれボックス３の左右の側面板１４ａ，１４ｂの奥行き方向におけるほぼ中央部の下端位置に配設される。この第三の連結部１８ｃ及び第四の連結部１８ｄは、それぞれ左右の側面板１４ａ，１４ｂに対して平行に配設される略Ｌ字形を成す小板状に形成されるものであって、背面に向かって先端が突き出て形成されている。これらの第三の連結部１８ｃ及び第四の連結部１８ｄは、取付部材４を成す前面板２０の上端に前面板２０に対して垂直に配設される閉塞板２２における奥行き方向のほぼ中央部の左右両脇に穿孔される第三の連結孔２１ｃ及び第四の連結孔２１ｄにそれぞれ挿着されて連結される。
【００２９】
第五の連結部１８ｅ及び第六の連結部１８ｆは互いに同等の形状を成しており、それぞれボックス３の背面板１５の左右の両端部付近に互いに所定の間隔を存して配設される。この第五の連結部１８ｅ及び第六の連結部１８ｆは、それぞれ背面板１５に対して垂直に且つ背面板１５の下端に沿って配設される小板状に形成されるものであって、背面後方に向かって先端が突き出ている。これらの第五の連結部１８ｅ及び第六の連結部１８ｆは、取付部材４を成す閉塞板２２における後端に立設された立上部２３の左右の両端部付近に、互いに所定の間隔を存して穿孔される第五の連結孔２１ｅ及び第六の連結孔２１ｆにそれぞれ挿着されて連結される。
【００３０】
ボックス３を成す前面板１３の上部の両端部にはヒンジ部２４ａ，２４ｂが形成され、前面板１３の板面外形とほぼ同等の形状に形成された板状の蓋体２５がヒンジ部２４ａ，２４ｂを介して回動可能に連結され、前面板１３に形成された開口部１６を開閉して覆ったり、開放したりし得るよう構成される。なお、蓋体２５の開動作に際して、蓋体２５が任意の開放角度で保持されるようにヒンジ部２４ａ，２４ｂを予め設定すれば、本実施態様の格納構造の内部に配設されたＥＴＣカードリーダ２６を操作し易くなると共に、小物入れ２８に対する物の出し入れがし易くなって好ましい。
【００３１】
取付部材４は、図２（ｂ）に背面斜視図として示すように、板面が車室内側に向けられて配設される前面板２０と、この前面板２０の上端に前面板２０に対してほぼ垂直に配設される閉塞板２２とを備える。
【００３２】
取付部材４を構成する前面板２０は、ＥＴＣカードリーダ２６の前面部より若干大きめの板面を有する板状に形成される。この前面板２０のほぼ中央部には、ＥＴＣカードリーダ２６の前部を装着するための開口部２７が形成され、全体として枠状を成している。この前面板２０の左右の両端部付近には、ボックス３に形成された第一の連結部１８ａ及び第二の連結部１８ｂを挿着するための第一の連結孔２１ａ及び第二の連結孔２１ｂが前面板２０の表裏に貫通して穿孔されている。前面板２０上におけるこれら第一の連結孔２１ａ及び第二の連結孔２１ｂそれぞれの内側部位には、前面板２０に対して垂直に凸設される小円柱状の取付ピン２９ａ，２９ｂが、片側一つずつ合計二つ形成される。これら二つの取付ピン２９ａ，２９ｂは、取付部材４に対してＥＴＣカードリーダ２６を安定的に取り付けるためのものである。また、これらの取付ピン２９ａ，２９ｂの直下にはそれぞれ一つずつ合計二つの取付孔３０ａ，３０ｂが貫穿され、取付部材４とＥＴＣカードリーダ２６とを互いにネジ３１ａ，３１ｂで螺合できるように構成される。
【００３３】
取付部材４を構成する閉塞板２２は、前面板２０の上端に前面板２０に対してほぼ垂直に背面方向に向けて配設されるものであって、ボックス３の底部の開口を閉塞するためのものであり、底部の開口を閉塞し得るように、開口の平面形状とほぼ同等に形成される。この閉塞板２２の奥行き方向におけるほぼ中央部の左右の両端部には、ボックス３に形成された第三の連結部１８ｃ及び第四の連結部１８ｄを挿入して連結するための第三の連結孔２１ｃ及び第四の連結孔２１ｄが、閉塞板２２の表裏に貫通して穿孔される。これら第三の連結孔２１ｃ及び第四の連結孔２１ｄは、第三の連結部１８ｃ及び第四の連結部１８ｄを鉛直真下に向かって降下させたとき、それらの下端部が丁度挿入可能な大きさに形成された、奥行き方向に細長い略長円形の孔である。また、閉塞板２２の左右両端には、その前端から後端に亘って細長く延びた補強板３２ａ，３２ｂによって補強される。ボックス３に取付部材４を装着すると、図３に断面図として示すように、第三の連結孔２１ｃ（及び第四の連結孔２１ｄ）に第三の連結部１８ｃ（及び第四の連結部１８ｄ）が挿着される。
【００３４】
閉塞板２２の後端には、閉塞板２２に対してほぼ垂直に立ち上がった立上部２３が形成される。この立上部２３はその背面側が、閉塞板２２を補強する補強板３２ａ，３２ｂの後端における上向きに反り返った後端部３３ａ，３３ｂによって支持されて補強される。立上部２３の左右の両端部付近には、立上部２３の奥行き方向における表裏に亘って貫穿される第五の連結孔２１ｅ及び第六の連結孔２１ｆを有する。これら第五の連結孔２１ｅ及び第六の連結孔２１ｆは、幅方向に細長い長円形の孔であり、ボックス３に形成される第五の連結部１８ｅ及び第六の連結部１８ｆを挿着して連結するためのものである。
【００３５】
本実施態様のＥＴＣカードリーダ２６は、図２（ｃ）に背面斜視図として示すように、薄手の略直方体形状を成しており、前端の左右からは、それぞれ左右方向外向きに延出した板状の固着板３４ａ，３４ｂを有する。この固着板３４ａ，３４ｂは、高さがＥＴＣカードリーダ２６の高さと同等であり、幅は取付部材４を成す前面板２０の横幅よりも若干狭めに形成される。左右の固着板３４ａ，３４ｂの板面はそれぞれ、表裏に亘って貫通して穿孔され、縦に併設される二つの取付孔３５ａ，３５ｂを有する。これら片側二つの取付孔３５ａ，３５ｂの内、上部の取付孔３５ａ，３５ａは、取付部材４に形成される取付ピン２９ａ，２９ｂが挿着されるものであり、下部の取付孔３５ｂ，３５ｂはネジ３１ａ，３１ｂを用いてＥＴＣカードリーダ２６と取付部材４とを螺合して固着するためのものである。
【００３６】
このようにして構成される取付部材４に対して、前述のようなＥＴＣカードリーダ２６を取り付け、その後、取付部材４を、前述の前部に蓋体２５を備えたボックス３に連結し、それをインストルメントパネル６の所定位置に予め形成されたボックス取付部２に挿着する状態のＥＴＣカードリーダの格納構造１を図１に示す。図１からわかる通り、ボックス取付部２に挿着された状態のボックス３内部は、その下部が取付部材４を構成する閉塞板２２によって閉塞されて小物入れ２８を成し、その下部にはＥＴＣカードリーダ２６が配設された状態となるように構成される。
【００３７】
これに対し、図５に示すように、ボックス３に対して箱状連結体５を連結して、ボックス取付部２に挿着することもできる。この場合においても図５（ａ）に背面斜視図として示すボックス３については上述の通りであるから、説明を省略する。箱状連結体５は、図５（ｂ）に背面斜視図として示すように、概ね底板３６と、左右の側壁３７ａ，３７ｂと、背壁３８とを有し、上部と前部が開口した略箱状を成している。底板３６の前端の幅は、ボックス３を成す前面板１３に形成される開口部１６における下部周縁の幅とほぼ同等に設定される。左右の側壁３７ａ，３７ｂの高さは、ボックス３の前面板１３の開口部１６における下部周縁から天板１２と平行に設定される。
【００３８】
また、左右の側壁３７ａ，３７ｂには、それぞれ左右方向外向きに延出した板状の連結板３９ａ，３９ｂが形成される。この連結板３９ａ，３９ｂは、その高さが箱状連結体５の左右の側壁３７ａ，３７ｂの高さとほぼ同等に設定され、横幅は、ボックス３を成す前面板１３に形成された第一の連結部１８ａ及び第二の連結部１８ｂをそれぞれ覆うことができる程度に設定される。そして、左右の連結板３９ａ，３９ｂには、連結板３９ａ，３９ｂの表裏に貫通した第一の連結孔４０ａ及び第二の連結孔４０ｂがそれぞれ形成され、ボックス３の前面板１３に形成される第一の連結部１８ａ及び第二の連結部１８ｂをそれぞれ挿着し得るようになっている。
【００３９】
箱状連結体５を構成する左右の側壁３７ａ，３７ｂの上部には、図５及び図６に示すように、左右方向外向きに段状に広がった段部４１ａ，４１ｂが形成される。これらの段部４１ａ，４１ｂの幅方向の広がりは、丁度ボックス３を成す左右の側面板１４ａ，１４ｂの厚さ程度に設定され、ボックス３と箱状連結体５とを互いに連結した際に、その内側面４２ａ，４２ｂがなるべく凹凸なくフラットに近い一平面になるように構成することが美観上及び使用上好ましい。また、これら左右の段部４１ａ，４１ｂを成す水平面部４３ａ，４３ｂの奥行き方向における中央部には、それぞれ第三の連結孔４０ｃ及び第四の連結孔４０ｄがその鉛直方向の表裏に亘って貫穿され、ボックス３に形成される第三の連結部１８ｃ及び第四の連結部１８ｄを挿着し得るように構成される。これら第三の連結孔４０ｃ及び第四の連結孔４０ｄは、第三の連結部１８ｃ及び第四の連結部１８ｄを鉛直真下に向かって降下させたとき、それらの下端部が丁度挿入可能な大きさに形成された、奥行き方向に細長い略長円形の孔である。
【００４０】
箱状連結体５を構成するその最後尾に配設される背壁３８は、左右の側壁３７ａ，３７ｂの最後尾の下端から上端にかけての高さと同等の高さを有する。この背壁３８の上部には、後方向に段状に広がった段部４１ｃが形成される。この段部４１ｃを成す水平面部４３ｃの左右両端付近には、互いに所定の間隔を存して形成される第五の連結孔４０ｅ及び第六の連結孔４０ｆが、背壁３８の表裏に貫通して穿孔される。これら第五の連結孔４０ｅ及び第六の連結孔４０ｆは、幅方向に細長い長円形の孔であり、ボックス３に形成される第五の連結部１８ｅ及び第六の連結部１８ｆを挿着して連結するためのものである。このように構成される箱状連結体５を、ボックス３に連結して使用する場合には、比較的大容量の小物入れとすることができる。ボックス３に箱状連結体５を装着すると、図６に断面図として示すように、第三の連結孔４０ｃ及び第四の連結孔４０ｄに第三の連結部１８ｃ及び第四の連結部１８ｄが挿着される。
【００４１】
以上説明したように、本発明のＥＴＣカードリーダの格納構造１は、共通部品としての略箱状を成すボックス３と、このボックス３に対して択一的に連結される取付部材４又は箱状連結体５との何れかを備えたものであって、その主旨を逸脱しない範囲において様々な形態で実施することができる。
【図面の簡単な説明】
【００４２】
【図１】本実施態様のＥＴＣカードリーダの格納構造の構成を示す斜視図である。
【図２】本実施態様の格納構造を、ＥＴＣカードリーダの格納構造として構成する場合における主要部の分解斜視図である。
【図３】本実施態様のＥＴＣカードリーダの格納構造におけるボックスと取付部材との連結構造の構成を示す図２の連結部の部分拡大断面図である。
【図４】本実施態様の格納構造の、小物入れとしてのみの仕様の構成を示す斜視図である。
【図５】本実施態様の格納構造の、小物入れとしてのみの仕様として構成する場合の主要部の分解斜視図である。
【図６】本実施態様の箱状連結体の段部における連結構造の構成を示す図５の部分拡大断面図である。
【図７】従来の後付けのＥＴＣ車載機の取付状態を示す斜視図であり、運転席と助手席との間に設けられているコンソールボックスの脇にＥＴＣ車載機を取り付けた状態を示す。
【図８】従来の後付けのＥＴＣ車載機の取付状態を示す斜視図であり、運転席と助手席との間に設けられているコンソールボックスの内部にＥＴＣ車載機を取り付けた状態を示す。
【図９】工場出荷時に予めＥＴＣ車載機の格納構造を装備するオプション対応の一タイプであり、車室内前方に配設されるインストルメントパネルに予め設定されるＥＴＣ車載機を挿入し得る大きさの横穴状の取付部にＥＴＣ車載機を搭載している状態を示す斜視図である。
【図１０】図９に示すインストルメントパネルにおけるＥＴＣ車載機取付部周辺の断面図であって、別体カバーを取り付けた状態を示す。
【図１１】工場出荷時に予めＥＴＣ車載機の格納構造を装備するオプション対応の一タイプであり、車室内前方に配設されるインストルメントパネルに予め設定される、ＥＴＣ車載機の取付部を有し、取付部の開口部には、内側に小物入れが形成された蓋体が回動可能に取り付けられてなる取付部に対して、ＥＴＣ車載機が搭載されている状態を示す斜視図である。
【図１２】図１１に示すインストルメントパネルにおけるＥＴＣ車載機取付部周辺の断面図であって、蓋体の動作を示すものである。
【符号の説明】
【００４３】
１  ＥＴＣカードリーダの格納構造
２  ボックス取付部
３  ボックス
４  取付部材
５  箱状連結体
６  インストルメントパネル
７  開口部
８  横穴状のスペース
９ａ〜ｆ  係合孔
１０ａ〜ｆ  係合部
１１  奧壁
１２  天板
１３  前面板
１４ａ，ｂ  側面板
１５  背面板
１６  開口部
１７ａ〜ｄ  抜け止め
１８ａ〜ｆ  連結部
１９ａ，ｂ  抜け止め
２０  前面板
２１ａ〜ｆ  連結孔
２２  閉塞板
２３  立上部
２４ａ，ｂ  ヒンジ部
２５  蓋体
２６  ＥＣＴカードリーダ
２７  開口部
２８  小物入れ
２９ａ，ｂ  取付ピン
３０ａ，ｂ  取付孔
３１ａ，ｂ  ネジ
３２ａ，ｂ  補強板
３３ａ，ｂ  後端部
３４ａ，ｂ  固着板
３５ａ，ｂ  取付孔
３６  底板
３７ａ，ｂ  側壁
３８  背壁
３９ａ，ｂ  連結板
４０ａ〜ｆ  連結孔
４１ａ，ｂ  段部
４２ａ，ｂ  内側面
４３ａ，ｂ  水平面部
１０６  コンソールボックス
１２６  ＥＴＣ車載機
２０１  ＥＴＣ車載機の格納構造
２０２  ＥＴＣ車載機取付部
２０６  インストルメントパネル
２０７  開口部
２２６  ＥＴＣ車載機
２２６ｓ  ＩＣカード挿入口
２２７  別体カバー
３０１  ＥＴＣ車載機の格納構造
３０２  ＥＴＣ車載機取付部
３０６  インストルメントパネル
３０７  開口部
３２５  蓋体
３２６  ＥＴＣ車載機
３２６ｓ  ＩＣカード挿入口
３２８  小物入れ
【図１】
2008299399.tif 000003
【図２】
2008299399.tif 000004
【図３】
2008299399.tif 000005
【図４】
2008299399.tif 000006
【図５】
2008299399.tif 000007
【図６】
2008299399.tif 000008
【図７】
2008299399.tif 000009
【図８】
2008299399.tif 000010
【図９】
2008299399.tif 000011
【図１０】
2008299399.tif 000012
【図１１】
2008299399.tif 000013
【図１２】
2008299399.tif 000014